【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
コード化ピクチャのスライスのスライスセグメントヘッダからビデオデコーダによって、ピクチャ順序カウント（ＰＯＣ）リセット期間識別子のための値を表すデータを復号することと、ここにおいて、前記データが、前記ビデオデータのレイヤの前記コード化ピクチャに関連付けられ、ここにおいて、前記ＰＯＣリセット期間識別子の前記値が、前記コード化ピクチャを含むＰＯＣリセット期間を示し、ここにおいて、前記コード化ピクチャは、前記ＰＯＣリセット期間のＰＯＣアンカーピクチャを備える、
前記ビデオデコーダによって、前記ＰＯＣリセット期間識別子に少なくとも部分的に基づいて、前記コード化ピクチャのためのＰＯＣ値の少なくとも一部をリセットすることと、を備え、ここにおいて、リセットすることは、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットすること、または
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットすること
を備える、
方法。
【請求項２】
前記ＤＰＢ内に現在記憶されている、前記レイヤにおける前記１つまたは複数のピクチャのための前記ＰＯＣ値の前記少なくとも一部をリセットすることが、
ＰＯＣ最下位ビット（ＬＳＢ）値を表すデータを復号することと、ここにおいて、前記データが前記コード化ピクチャ中に含まれる、
前記ＤＰＢ内に現在記憶されている、前記レイヤにおける前記１つまたは複数のピクチャのためのＰＯＣ値を、前記ＰＯＣ  ＬＳＢ値だけデクリメントすることと
を備える、請求項１に記載の方法。
【請求項３】
前記ＰＯＣ  ＬＳＢ値が、前記ＰＯＣリセット期間の前記ＰＯＣアンカーピクチャのＰＯＣ  ＬＳＢ値に等しい、請求項２に記載の方法。
【請求項４】
前記コード化ピクチャのために実行されるべき前記ＰＯＣリセットタイプの前記指示のための２ビット値を表すデータを復号すること、ここにおいて、前記データが前記コード化ピクチャ中に含まれる、をさらに備える、請求項１に記載の方法。
【請求項５】
前記指示のための前記値が０であるとき、前記コード化ピクチャのための前記ＰＯＣ値がリセットされるべきではないと決定することと、
前記指示のための前記値が１であるとき、前記コード化ピクチャのための前記ＰＯＣ値のＭＳＢのみがリセットされるべきであると決定することと、
前記指示のための前記値が２であるとき、前記コード化ピクチャのための前記ＰＯＣ値のＭＳＢと最下位ビット（ＬＳＢ）の両方がリセットされるべきであると決定することと、
前記指示のための前記値が３であるとき、追加のＰＯＣリセット情報が前記コード化ピクチャのためにシグナリングされると決定することと
をさらに備える、請求項４に記載の方法。
【請求項６】
前記指示のための前記値が３であるとき、前記追加のＰＯＣリセット情報を復号すること、ここにおいて、前記追加のＰＯＣリセット情報が、前記コード化ピクチャのための前記ＰＯＣ値のＰＯＣ  ＭＳＢがリセットされるべきであるかどうか、または、前記コード化ピクチャのための前記ＰＯＣ値のＰＯＣ  ＭＳＢおよびＰＯＣ  ＬＳＢがリセットされるべきであるかどうかを示し、ここにおいて、前記追加のＰＯＣリセット情報がアンカーＰＯＣ  ＬＳＢ値を示す、をさらに備える、請求項５に記載の方法。
【請求項７】
前記コード化ピクチャのために実行されるべき前記ＰＯＣリセットタイプの前記指示のための値を表すデータを復号することと、ここにおいて、前記指示のための前記値が、追加のＰＯＣリセット情報が前記コード化ピクチャのためにシグナリングされることを示し、ここにおいて、前記データが前記コード化ピクチャ中に含まれる、
前記追加のＰＯＣリセット情報を復号することと、ここにおいて、前記追加のＰＯＣリセット情報が、アンカーＰＯＣ最下位ビット（ＬＳＢ）値を示す、
前記ＰＯＣリセット期間のための前記ＰＯＣアンカーピクチャが失われたと決定することに応答して、復号順序において前記ＰＯＣアンカーピクチャに後続するピクチャのためのＰＯＣ値を計算するとき、前記アンカーＰＯＣ  ＬＳＢ値に等しいＰＯＣ値を使用することと
をさらに備える、請求項１に記載の方法。
【請求項８】
前記コード化ピクチャに対応するピクチャパラメータセット（ＰＰＳ）のデータを復号すること、ここにおいて、前記ＰＰＳの前記データが、ＰＯＣリセット情報が前記コード化ピクチャ中でシグナリングされるかどうかを示す指示を包含する、をさらに備え、ここにおいて、前記ＰＯＣリセット期間識別子のための前記値を表す前記データを復号することが、前記ＰＰＳの前記データが、前記ＰＯＣリセット情報が前記コード化ピクチャ中でシグナリングされることを示すとき、前記ＰＯＣリセット期間識別子のための前記値を表す前記データを復号することを備える、請求項１に記載の方法。
【請求項９】
前記ＰＰＳのｓｌｉｃｅ＿ｓｅｇｍｅｎｔ＿ｈｅａｄｅｒ＿ｅｘｔｅｎｓｉｏｎ＿ｐｒｅｓｅｎｔ＿ｆｌａｇシンタックス要素が１に等しいとき、前記ＰＯＣリセット情報がシグナリングされるかどうかを示す前記ＰＰＳの前記データが、前記ＰＰＳ中でシグナリングされる、請求項８に記載の方法。
【請求項１０】
参照ピクチャリスト中に含まれるべき参照ピクチャを表す１つまたは複数のＰＯＣ値を復号することと、
前記復号された１つまたは複数のＰＯＣ値に少なくとも部分的に基づいて、前記参照ピクチャリストを構築することと、
前記コード化ピクチャのブロックのための動き情報を復号することと、ここにおいて、前記動き情報が、前記参照ピクチャリストの識別子と、前記参照ピクチャリストへの参照インデックスとを含む、
前記参照ピクチャリスト中の前記参照インデックスに対応する前記参照ピクチャのうちの１つを使用して、前記ブロックを復号することと
をさらに備える、請求項１に記載の方法。
【請求項１１】
ビデオデータを符号化する方法であって、
コード化ピクチャのスライスのスライスセグメントヘッダにおいてビデオエンコーダによって、ピクチャ順序カウント（ＰＯＣ）リセット期間識別子のための値を表すデータを符号化することと、ここにおいて、前記データが、前記ビデオデータのレイヤの前記コード化ピクチャに関連付けられ、ここにおいて、前記ＰＯＣリセット期間識別子の前記値が、前記コード化ピクチャを含むＰＯＣリセット期間を示し、ここにおいて、前記コード化ピクチャは、前記ＰＯＣリセット期間のＰＯＣアンカーピクチャを備える、
前記ＰＯＣアンカーピクチャのためのＰＯＣ値のすべてのビットをリセットするべきか、前記ＰＯＣ値の最上位ビット（ＭＳＢ）をリセットするべきかを決定することと、
前記決定に基づいて、ＰＯＣリセットタイプの指示を表すデータを符号化することと、前記ＰＯＣリセットタイプが、前記ＰＯＣアンカーピクチャのための前記ＰＯＣ値のすべてのビットをリセットするべきか、前記ＰＯＣ値の最上位ビット（ＭＳＢ）をリセットするべきかどうかを示す、
前記ビデオエンコーダによって、前記ＰＯＣリセット期間識別子および前記ＰＯＣリセットタイプに少なくとも部分的に基づいて、前記コード化ピクチャのための前記ＰＯＣ値の少なくとも一部をリセットすることと
を備える方法。
【請求項１２】
前記ＤＰＢ内に現在記憶されている、前記レイヤにおける前記１つまたは複数のピクチャのための前記ＰＯＣ値の前記少なくとも一部をリセットすることが、
前記ＰＯＣリセット期間の前記ＰＯＣアンカーピクチャのためのＰＯＣ最下位ビット（ＬＳＢ）値を決定することと、
前記ＤＰＢ内に現在記憶されている、前記レイヤにおける前記１つまたは複数のピクチャのためのＰＯＣ値を、前記ＰＯＣ  ＬＳＢ値だけデクリメントすることと
を備え、
前記方法が、前記ＰＯＣ  ＬＳＢ値を表すデータを符号化すること、ここにおいて、前記データが前記コード化ピクチャ中に含まれる、をさらに備える、請求項１１に記載の方法。
【請求項１３】
前記ＰＯＣリセットタイプの前記指示を表す前記データを符号化することは、前記コード化ピクチャのために実行されるべき前記ＰＯＣリセットタイプの前記指示のための２ビット値を符号化することを備え、ここにおいて、前記データが前記コード化ピクチャ中に含まれる、請求項１１に記載の方法。
【請求項１４】
前記コード化ピクチャのための前記ＰＯＣ値がリセットされるべきではないと決定することに応答して、前記指示の前記値のために０を符号化することと、
前記コード化ピクチャのための前記ＰＯＣ値のＭＳＢのみがリセットされるべきであると決定することに応答して、前記指示の前記値のために１を符号化することと、
前記コード化ピクチャのための前記ＰＯＣ値のＭＳＢと最下位ビット（ＬＳＢ）の両方がリセットされるべきであると決定することに応答して、前記指示の前記値のために２を符号化することと、
追加のＰＯＣリセット情報が前記コード化ピクチャのためにシグナリングされるべきであると決定することに応答して、前記指示の前記値のために３を符号化することと
をさらに備える、請求項１３に記載の方法。
【請求項１５】
前記追加のＰＯＣリセット情報がシグナリングされるべきであると決定することに応答して、前記追加のＰＯＣリセット情報を符号化すること、ここにおいて、前記追加のＰＯＣリセット情報が、前記コード化ピクチャのための前記ＰＯＣ値のＰＯＣ  ＭＳＢがリセットされるべきであるかどうか、または、前記コード化ピクチャのための前記ＰＯＣ値のＰＯＣ  ＭＳＢおよびＰＯＣ  ＬＳＢがリセットされるべきであるかどうかを示し、ここにおいて、前記追加のＰＯＣリセット情報がアンカーＰＯＣ  ＬＳＢ値を示す、をさらに備える、請求項１４に記載の方法。
【請求項１６】
前記ＰＯＣリセットタイプの前記指示のための前記値が、追加のＰＯＣリセット情報が前記コード化ピクチャのためにシグナリングされることを示し、ここにおいて、前記データが前記コード化ピクチャ中に含まれる、前記方法はさらに、
前記追加のＰＯＣリセット情報を符号化することを備え、ここにおいて、前記追加のＰＯＣリセット情報が、アンカーＰＯＣ最下位ビット（ＬＳＢ）値を示す
請求項１１に記載の方法。
【請求項１７】
ＰＯＣリセット情報を符号化するかどうかを決定することと、
前記コード化ピクチャに対応するピクチャパラメータセット（ＰＰＳ）のデータを符号化することと、ここにおいて、前記ＰＰＳの前記データが、前記ＰＯＣリセット情報が前記コード化ピクチャ中でシグナリングされるかどうかを示し、ここにおいて、前記ＰＯＣリセット期間識別子のための前記値を表す前記データを符号化することが、前記ＰＯＣリセット情報を符号化することを決定することに応答して、前記ＰＯＣリセット期間識別子のための前記値を表す前記データを符号化することを備える
をさらに備える、請求項１１に記載の方法。
【請求項１８】
前記ＰＯＣリセット情報がシグナリングされるかどうかを示す前記ＰＰＳの前記データが、前記ＰＰＳのｓｌｉｃｅ＿ｓｅｇｍｅｎｔ＿ｈｅａｄｅｒ＿ｅｘｔｅｎｓｉｏｎ＿ｐｒｅｓｅｎｔ＿ｆｌａｇシンタックス要素を表すデータを備える、請求項１７に記載の方法。
【請求項１９】
１つまたは複数の参照ピクチャを含む参照ピクチャリストを構築することと、
前記参照ピクチャのうちの１つを使用して、前記コード化ピクチャのブロックを符号化することと、
前記ブロックのための動き情報を符号化することと、ここにおいて、前記動き情報が、前記参照ピクチャリストの識別子と、前記参照ピクチャのうちの前記１つに対応する前記参照ピクチャリストへの参照インデックスとを含む、
前記参照ピクチャリスト中に含まれた前記参照ピクチャを表す１つまたは複数のＰＯＣ値を符号化することと
をさらに備える、請求項１１に記載の方法。
【請求項２０】
ビデオデータをコーディングするためのデバイスであって、
ビデオデータを記憶するように構成された復号ピクチャバッファ（ＤＰＢ）を備えるメモリと、
ビデオコーダであって、
ピクチャ順序カウント（ＰＯＣ）リセット期間識別子のための値を表すコード化ピクチャのスライスのスライスセグメントヘッダのデータをコーディングすることと、ここにおいて、前記データが、前記ビデオデータのレイヤの前記コード化ピクチャに関連付けられ、ここにおいて、前記ＰＯＣリセット期間識別子の前記値が、前記コード化ピクチャを含むＰＯＣリセット期間を示し、ここにおいて、前記コード化ピクチャは、前記ＰＯＣリセット期間のＰＯＣアンカーピクチャを備える、
前記コード化ピクチャのためのＰＯＣ値の少なくとも一部をリセットすることと、を行うように構成されたビデオコーダと、ここにおいて、前記コード化ピクチャのための前記ＰＯＣ値の前記少なくとも一部をリセットするために、前記ビデオコーダは、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットすることと、
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットすることと
を行うように構成される、
を備えるデバイス。
【請求項２１】
前記ビデオコーダが、ＰＯＣ最下位ビット（ＬＳＢ）値を表すデータを復号することと、ここにおいて、前記データが前記コード化ピクチャ中に含まれ、前記ＤＰＢ内に現在記憶されている、前記レイヤにおける前記１つまたは複数のピクチャのためのＰＯＣ値を、前記ＰＯＣ  ＬＳＢ値だけデクリメントすることとを行うように構成されるビデオデコーダを備える、請求項２０に記載のデバイス。
【請求項２２】
前記ＰＯＣ  ＬＳＢ値が、前記ＰＯＣリセット期間の前記ＰＯＣアンカーピクチャのＰＯＣ  ＬＳＢ値に等しい、請求項２１に記載のデバイス。
【請求項２３】
前記ビデオコーダが、前記コード化ピクチャのために実行されるべき前記ＰＯＣリセットタイプの前記指示のための２ビット値を表すデータをコーディングすること、ここにおいて、前記データが前記コード化ピクチャ中に含まれる、を行うようにさらに構成される、請求項２０に記載のデバイス。
【請求項２４】
前記ビデオコーダが、
前記指示のための前記値が０であるとき、前記コード化ピクチャのための前記ＰＯＣ値がリセットされるべきではないと決定することと、
前記指示のための前記値が１であるとき、前記コード化ピクチャのための前記ＰＯＣ値のＭＳＢのみがリセットされるべきであると決定することと、
前記指示のための前記値が２であるとき、前記コード化ピクチャのための前記ＰＯＣ値のＭＳＢと最下位ビット（ＬＳＢ）の両方がリセットされるべきであると決定することと、
前記指示のための前記値が３であるとき、追加のＰＯＣリセット情報が前記コード化ピクチャのためにシグナリングされると決定することと
を行うようにさらに構成される、請求項２３に記載のデバイス。
【請求項２５】
前記ビデオコーダが、前記指示のための前記値が３であるとき、前記追加のＰＯＣリセット情報をコーディングすること、ここにおいて、前記追加のＰＯＣリセット情報が、前記コード化ピクチャのための前記ＰＯＣ値のＰＯＣ  ＭＳＢがリセットされるべきであるかどうか、または、前記コード化ピクチャのための前記ＰＯＣ値のＰＯＣ  ＭＳＢおよびＰＯＣ  ＬＳＢがリセットされるべきであるかどうかを示し、ここにおいて、前記追加のＰＯＣリセット情報がアンカーＰＯＣ  ＬＳＢ値を示す、を行うようにさらに構成される、請求項２４に記載のデバイス。
【請求項２６】
前記ビデオコーダが、前記コード化ピクチャのために実行されるべき前記ＰＯＣリセットタイプの前記指示のための値を表すデータを復号することと、ここにおいて、前記指示のための前記値が、追加のＰＯＣリセット情報が前記コード化ピクチャのためにシグナリングされることを示し、ここにおいて、前記データが前記コード化ピクチャ中に含まれる、
前記追加のＰＯＣリセット情報を復号することと、ここにおいて、前記追加のＰＯＣリセット情報が、アンカーＰＯＣ最下位ビット（ＬＳＢ）値を示す、
前記ＰＯＣリセット期間のための前記ＰＯＣアンカーピクチャが失われたと決定することに応答して、復号順序において前記ＰＯＣアンカーピクチャに後続するピクチャのためのＰＯＣ値を計算するとき、前記アンカーＰＯＣ  ＬＳＢ値に等しいＰＯＣ値を使用することと
を行うように構成されたビデオデコーダを備える、請求項２０に記載のデバイス。
【請求項２７】
前記ビデオコーダが、１つまたは複数の参照ピクチャを含む参照ピクチャリストを構築することと、前記参照ピクチャのうちの１つを使用して、前記コード化ピクチャのブロックを符号化することと、前記ブロックのための動き情報を符号化することと、ここにおいて、前記動き情報が、前記参照ピクチャリストの識別子と、前記参照ピクチャのうちの前記１つに対応する前記参照ピクチャリストへの参照インデックスとを含む、前記参照ピクチャリスト中に含まれた前記参照ピクチャを表す１つまたは複数のＰＯＣ値を符号化することと
を行うように構成されたビデオエンコーダを備える、請求項２０に記載のデバイス。
【請求項２８】
前記ビデオコーダが、前記コード化ピクチャに対応するピクチャパラメータセット（ＰＰＳ）のデータをコーディングすること、ここにおいて、前記ＰＰＳの前記データが、ＰＯＣリセット情報が前記コード化ピクチャ中でシグナリングされるかどうかを示す、を行うように構成され、ここにおいて、前記ビデオコーダが、前記ＰＯＣリセット情報が前記コード化ピクチャ中でシグナリングされることを前記ＰＰＳの前記データが示すとき、前記ＰＯＣリセット期間識別子のための前記値を表す前記データをコーディングするように構成される、請求項２０に記載のデバイス。
【請求項２９】
前記デバイスが、
集積回路と、
マイクロプロセッサと、
ワイヤレス通信デバイスと
のうちの少なくとも１つを備える、請求項２０に記載のデバイス。
【請求項３０】
ビデオデータをコーディングするためのデバイスであって、
ピクチャ順序カウント（ＰＯＣ）リセット期間識別子のための値を表すコード化ピクチャのスライスのスライスセグメントヘッダのデータをコーディングするための手段と、ここにおいて、前記データが、前記ビデオデータのレイヤの前記コード化ピクチャに関連付けられ、ここにおいて、前記ＰＯＣリセット期間識別子の前記値が、前記コード化ピクチャを含むＰＯＣリセット期間を示し、ここにおいて、前記コード化ピクチャは、前記ＰＯＣリセット期間のＰＯＣアンカーピクチャを備える、
前記コード化ピクチャのためのＰＯＣ値の少なくとも一部をリセットするための手段と、を備え、ここにおいて、リセットするための前記手段は、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットするための手段と、
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットするための手段と
を備える
デバイス。
【請求項３１】
命令を記憶した非一時的コンピュータ可読記憶媒体であって、前記命令が、実行されると、ビデオデータをコーディングするためのデバイスのプロセッサに、
ピクチャ順序カウント（ＰＯＣ）リセット期間識別子のための値を表すコード化ピクチャのスライスのスライスセグメントヘッダのデータをコーディングすることと、ここにおいて、前記データが、前記ビデオデータのレイヤの前記コード化ピクチャに関連付けられ、ここにおいて、前記ＰＯＣリセット期間識別子の前記値が、前記コード化ピクチャを含むＰＯＣリセット期間を示し、ここにおいて、前記コード化ピクチャは、前記ＰＯＣリセット期間のＰＯＣアンカーピクチャを備える、
前記コード化ピクチャのためのＰＯＣ値の少なくとも一部をリセットすることと
を行わせ、ここにおいて、前記プロセッサにリセットすることを行わせる前記命令は、前記プロセッサに、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットすることと、
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットすること
を行わせる命令を備える、
非一時的コンピュータ可読記憶媒体。
【請求項３２】
前記プロセッサに、前記ＤＰＢ内に現在記憶されている、前記レイヤにおける前記１つまたは複数のピクチャのための前記ＰＯＣ値の前記少なくとも一部をリセットすることを行わせる前記命令が、前記プロセッサに、
ＰＯＣ最下位ビット（ＬＳＢ）値を表すデータをコーディングすることと、ここにおいて、前記データが前記コード化ピクチャ中に含まれる、
前記ＤＰＢ内に現在記憶されている、前記レイヤにおける前記１つまたは複数のピクチャのためのＰＯＣ値を、前記ＰＯＣ  ＬＳＢ値だけデクリメントすることと
を行わせる命令を備える、請求項３１に記載の非一時的コンピュータ可読記憶媒体。
【請求項３３】
前記プロセッサに、前記コード化ピクチャのために実行されるべき前記ＰＯＣリセットタイプの前記指示のための２ビット値を表すデータをコーディングすること、ここにおいて、前記データが前記コード化ピクチャ中に含まれる、を行わせる命令をさらに備える、請求項３１に記載の非一時的コンピュータ可読記憶媒体。
【請求項３４】
前記プロセッサに、
前記指示のための前記値が０であるとき、前記コード化ピクチャのための前記ＰＯＣ値がリセットされるべきではないと決定することと、
前記指示のための前記値が１であるとき、前記コード化ピクチャのための前記ＰＯＣ値のＭＳＢのみがリセットされるべきであると決定することと、
前記指示のための前記値が２であるとき、前記コード化ピクチャのための前記ＰＯＣ値のＭＳＢと最下位ビット（ＬＳＢ）の両方がリセットされるべきであると決定することと、
前記指示のための前記値が３であるとき、追加のＰＯＣリセット情報が前記コード化ピクチャのためにシグナリングされると決定することと
を行わせる命令をさらに備える、請求項３３に記載の非一時的コンピュータ可読記憶媒体。
【請求項３５】
前記プロセッサに、前記指示のための前記値が３であるとき、前記追加のＰＯＣリセット情報をコーディングすること、ここにおいて、前記追加のＰＯＣリセット情報が、前記コード化ピクチャのための前記ＰＯＣ値のＰＯＣ  ＭＳＢがリセットされるべきであるかどうか、または、前記コード化ピクチャのための前記ＰＯＣ値のＰＯＣ  ＭＳＢおよびＰＯＣ  ＬＳＢがリセットされるべきであるかどうかを示し、ここにおいて、前記追加のＰＯＣリセット情報がアンカーＰＯＣ  ＬＳＢ値を示す、を行わせる命令をさらに備える、請求項３４に記載の非一時的コンピュータ可読記憶媒体。
【請求項３６】
前記プロセッサに、
前記コード化ピクチャのために実行されるべき前記ＰＯＣリセットタイプの前記指示のための値を表すデータをコーディングすることと、ここにおいて、前記指示のための前記値が、追加のＰＯＣリセット情報が前記コード化ピクチャのためにシグナリングされることを示し、ここにおいて、前記データが前記コード化ピクチャ中に含まれる、
前記追加のＰＯＣリセット情報をコーディングすることと、ここにおいて、前記追加のＰＯＣリセット情報が、アンカーＰＯＣ最下位ビット（ＬＳＢ）値を示す
を行わせる命令をさらに備える、請求項３１に記載の非一時的コンピュータ可読記憶媒体。
【請求項３７】
前記プロセッサに、前記コード化ピクチャに対応するピクチャパラメータセット（ＰＰＳ）のデータをコーディングすること、ここにおいて、前記ＰＰＳの前記データが、ＰＯＣリセット情報が前記コード化ピクチャ中でシグナリングされるかどうかを示す、を行わせる命令をさらに備え、ここにおいて、前記プロセッサに、前記ＰＯＣリセット期間識別子のための前記値を表す前記データをコーディングすることを行わせる前記命令が、前記プロセッサに、前記ＰＰＳの前記データが、前記ＰＯＣリセット情報が前記コード化ピクチャ中でシグナリングされることを示すとき、前記ＰＯＣリセット期間識別子のための前記値を表す前記データをコーディングすることを行わせる命令を備える、請求項３１に記載の非一時的コンピュータ可読記憶媒体。
【請求項３８】
リセットすることは、前記ビデオデコーダの復号ピクチャバッファ（ＤＰＢ）内に現在記憶されている前記レイヤにおける１つまたは複数のピクチャのためのＰＯＣ値の少なくとも一部をリセットすることをさらに備える、請求項１に記載の方法。
【請求項３９】
リセットすることは、前記ビデオデコーダの復号ピクチャバッファ（ＤＰＢ）内に現在記憶されている前記レイヤにおける１つまたは複数のピクチャのためのＰＯＣ値の少なくとも一部をリセットすることをさらに備える、請求項１１に記載の方法。
【請求項４０】
前記ビデオデコーダは、前記ＤＰＢ内に現在記憶されている前記レイヤにおける１つまたは複数のピクチャのためのＰＯＣ値の少なくとも一部をリセットするようにさらに構成される、請求項２０に記載のデバイス。
【請求項４１】
前記デバイスの復号ピクチャバッファ（ＤＰＢ）内に現在記憶されている前記レイヤにおける１つまたは複数のピクチャのためのＰＯＣ値の少なくとも一部をリセットするための手段をさらに備える、請求項３０に記載のデバイス。
【請求項４２】
前記プロセッサに、前記デバイスの復号ピクチャバッファ（ＤＰＢ）内に現在記憶されている前記レイヤにおける１つまたは複数のピクチャのためのＰＯＣ値の少なくとも一部をリセットさせる命令をさらに備える、請求項３１に記載の非一時的コンピュータ可読記憶媒体。